(57)【要約】【課題】下向きに保持したパウチ内にヘッドスペースが発生してパウチが変形することを防止し、パウチの内容物の注出開始時から注出終了時迄、毎回一定量の内容物を安定して注出することを可能とするパウチホルダを提供する。【解決手段】パウチの注出口４を下向きにしてパウチを保持するパウチ収納部２１、及び該パウチ収納部２１の幅方向を横断し該パウチ収納部２１の縦方向に沿って移動可能に配設したパウチ本体を押圧する押圧ロール２５を具備するパウチホルダ。【選択図】図４
2007168818.tif 000002
【特許請求の範囲】
【請求項１】
パウチの注出口を下向きにしてパウチを保持するパウチ収納部、及び該パウチ収納部の幅方向を横断し該パウチ収納部の縦方向に沿って移動可能に配設したパウチ本体を押圧する押圧ロールを具備するパウチホルダ。
【請求項２】
前記押圧ロールの両端部の径（ａ）と中央部の径（ｂ）を、ａ＜ｂとなるように構成したことを特徴とする請求項１に記載のパウチホルダ。
【請求項３】
前記パウチ収納部の両側部に前記押圧ロールの移動を規制するガイド部を設けたことを特徴とする請求項１又は２に記載のパウチホルダ。
【請求項４】
前記パウチ収納部にカバー部を回動可能に連結したことを特徴とする請求項１〜３のいずれかに記載のパウチホルダ。
【請求項５】
前記パウチ収納部にパウチの注出部を押圧する注出部押圧手段を設けたことを特徴とする請求項１〜４のいずれかに記載のパウチホルダ。
【請求項６】
前記パウチ収納部及び／又は前記カバー部にパウチ本体の下方両側部を押圧する側部押圧手段を設けたことを特徴とする請求項１〜５のいずれかに記載のパウチホルダ。
【請求項７】
前記カバー部にパウチの注出部を押圧する注出手段を設けたことを特徴とする請求項１〜６のいずれかに記載のパウチホルダ。
【請求項８】
前記注出手段を前記パウチ収納部の前記注出部押圧手段と対応する位置に設けたことを特徴とする請求項７に記載のパウチホルダ。
【発明の詳細な説明】
【技術分野】
【０００１】
本発明は、注出口を下向きにしてパウチを保持し、パウチ内に収容した液体洗剤、液体石鹸、シャンプー、リンス、消毒液、醤油、ソース、トマトケチャップ等の液状乃至ジェル状の内容物を一定量ずつ注出することができるパウチホルダに関する。
【背景技術】
【０００２】
従来、プラスチックフイルムをヒートシールすることによって構成し、開封した下向きの注出口が自己閉鎖し、注出口の上部を手指や治具で押すと自己閉鎖した注出口が開口して、内容物を一定量注出することができるパウチが知られている。（例えば、特許文献１参照）
【特許文献１】特開平１１−１９３０３９号公報
【０００３】
このような自己閉鎖性注出口を有するパウチを注出口を下向きにして吊下げ保持し、手指で押して一定量の内容物を注出するには、毎回パウチの同じ位置を同じ強さで押すことが必要であるため、内容物の注出性に個人差を生じ易く、常に一定量の内容物を注出することは困難であった。
このような問題点を解決するために、自己閉鎖性注出口を有するパウチを下向きに保持し注出口を開口させる押圧手段を備えたパウチ注出用補助治具や、パウチホルダが種々提案されている。（例えば、特許文献２、３参照）
【特許文献２】特開２００２−３３２０７６号公報
【特許文献３】特開２００５−９６８４７号公報
【０００４】
しかるに、これらの補助治具やパウチホルダ類を使用した場合にも、パウチ内の内容物の減少にともなってパウチ内上部にヘッドスペースが発生し、パウチの形状が徐々に変化して注出状態が不安定になるために、パウチの内容物の注出開始時から注出終了時迄、毎回一定量の内容物を安定して注出することは困難であった。
【発明の開示】
【発明が解決しようとする課題】
【０００５】
したがって、本発明はこれら従来技術の問題点を解消して、下向きに保持したパウチ内にヘッドスペースが発生してパウチが変形することを防止し、パウチの内容物の注出開始時から注出終了時迄、毎回一定量の内容物を安定して注出することを可能とするパウチホルダを提供することを目的とする。
【課題を解決するための手段】
【０００６】
本発明者等は鋭意検討した結果、パウチホルダのパウチ収納部に、パウチ収納部の幅方向を横断し収納部の縦方向に沿って移動可能に、パウチ本体を押圧する押圧ロールを設けることによって上記課題が解決されることを発見し、本発明を完成したものである。
すなわち、本発明では、次の１〜８の構成を採用する。
１．パウチの注出口を下向きにしてパウチを保持するパウチ収納部、及び該パウチ収納部の幅方向を横断し該パウチ収納部の縦方向に沿って移動可能に配設したパウチ本体を押圧する押圧ロールを具備するパウチホルダ。
２．前記押圧ロールの両端部の径（ａ）と中央部の径（ｂ）を、ａ＜ｂとなるように構成したことを特徴とする１に記載のパウチホルダ。
３．前記パウチ収納部の両側部に前記押圧ロールの移動を規制するガイド部を設けたことを特徴とする１又は２に記載のパウチホルダ。
４．前記パウチ収納部にカバー部を回動可能に連結したことを特徴とする１〜３のいずれかに記載のパウチホルダ。
５．前記パウチ収納部にパウチの注出部を押圧する注出部押圧手段を設けたことを特徴とする１〜４のいずれかに記載のパウチホルダ。
６．前記パウチ収納部及び／又は前記カバー部にパウチ本体の下方両側部を押圧する側部押圧手段を設けたことを特徴とする１〜５のいずれかに記載のパウチホルダ。
７．前記カバー部にパウチの注出部を押圧する注出手段を設けたことを特徴とする１〜６のいずれかに記載のパウチホルダ。
８．前記注出手段を前記パウチ収納部の前記注出部押圧手段と対応する位置に設けたことを特徴とする７に記載のパウチホルダ。
【発明の効果】
【０００７】
本発明によれば、パウチの内容物の減少にともなってパウチ内の上部にヘッドスペースが発生し、定量室内へ内容物が流れ込み難くなることによる定量室の膨らみの減少に起因する注出量の不安定状態を防止して、パウチの内容物の注出開始時から注出終了時迄、毎回一定量の内容物を安定して注出することが可能となる。
【発明を実施するための最良の形態】
【０００８】
以下、図面に基づいて本発明の好ましい実施の形態について説明するが、以下の具体例は本発明を限定するものではない。
本発明のパウチホルダに使用するパウチとしては特に制限はなく、従来公知の注出口を有するパウチはいずれも使用することができる。好ましいパウチとしては、例えば特許文献１に記載された自己閉鎖性注出口を有するパウチが挙げられる。
【０００９】
図１〜図３はこのような自己閉鎖性注出口を有するパウチの１例を示す図であり、図１は内容物充填前のパウチの斜視図である。また、図２及び図３は図１のパウチに内容物を充填した状態を示す定量室及び注出口の部分拡大模式図であり、図２は注出口が閉じた状態を示す図、図３は注出口が開いた状態を示す図である。図２及び図３において、（Ａ）は定量室及び注出口の断面模式図、（Ｂ）は弁（中央部分）及び注出口における内容物の状態をそれぞれ表す図である。
【００１０】
このパウチ１は、２枚の側壁部材１１及び１２を両側部６、６及び下端部７でヒートシールしたものであり、内容物充填後にパウチの上端部をヒートシールするものである。このパウチ１には、液体収納室２に隣接する定量室３及び定量室３に連通する自己閉鎖性の注出口４が設けられている。液体収納室２と定量室３はフイルム状の弁５により区画されており、弁５の巾方向の上端部８は一方の側壁部材１１にヒートシールにより接合され、弁５の巾方向の下端部９は他方の側壁部材１２にヒートシールにより接合されている。また、弁５の長さ方向の両端部は側壁部材１１及び１２に両側部６、６でヒートシールされている。弁５の下端部９にはその中央部に未シール部１０を設けることによって、液体収納室２と定量室３が連通するように構成されている。
【００１１】
このパウチ１に液状内容物を充填すると、図２にみられるように内容物は液体収納室２から弁５の未シール部１０を通って定量室３に流入する。このときの液体収納室２の内圧をＰｏ、定量室の内圧をＰとするとＰ＜Ｐｏである。また、パウチ２を構成する包材は、注出口４の定量室３との接続部でヒートシール部７に沿って液状内容物の圧力によってＶ字状に折り曲げられ注出口の対向する側壁を密着させるので、注出口４の長さを調整することにより注出口４の先端部を開封した後にも注出口４は自己閉鎖性を有し、液状内容物が流出することはない。
【００１２】
このパウチ１から液状内容物を取り出すには、図３にみられるように注出口４の先端部を開封した後に、手又は治具により定量室３を押圧する。このときＰ＞Ｐｏとなり注出口４の折れがなくなるので、注出口４は開放され液状内容物が注出される。
その際に、液状内容物は定量室３から液体収納室２に逆流しようとするが〔図３（Ｂ）〕、弁５が閉じられた状態となるので内容物の逆流は防止され、定量室３内の内容物は注出口４から全て注出されるので、注出の安定性と優れた定量性を確保することができる。
【００１３】
図４及び図５は、本発明のパウチホルダの１例を示す図であり、図４の（Ａ）はパウチホルダのカバー部を下方に開いた状態を示す正面図であり、（Ｂ）はホルダの右側面図である。また、図５の（Ａ）はパウチホルダの内にパウチを収納してホルダを閉じた正面図であり、（Ｂ）は（Ａ）のＸＸ線による断面図である。
【００１４】
このパウチホルダ２０は、長方形の支持板２２の周辺に４枚の側板２３、２３’を立設することによって、プラスチックパウチの注出口を下向きにして保持する箱状のパウチ収納部２１を形成し、該パウチ収納部２１の下端部に回動可能にカバー部３１の一端を連結したものである。
パウチ収納部２１の支持板２２の上部には、パウチ１を下向きに吊下げ保持するために２本のピンＰを設けてある。支持板２２の下方中央部には、上部に傾斜面を有しパウチ１の注出部を背面から押圧する注出部押圧手段２８が設けられている。また、パウチ収納部２１の下端部を構成する側板２３’には、パウチの注出口４を露出するための開口２９が設けられている。〔図５（Ｂ）参照〕
パウチ収納部２１の左右の側板２３には、側板２３を貫通する溝状のガイド部２７を設け、このガイド部２７にパウチ収納部２１の幅と略同じ長さを有する円柱状の押圧ロール２５を、両端に設けた円板状のハンドル２６、２６によって、パウチ収納部２１の縦方向に沿って移動可能に係合している。
【００１５】
パウチ収納部２１の下端部を構成する側板２３’には、長方形の板状体３２からなるカバー部３１を回動可能に連結してある。この板状体３２には、カバー部３１を閉じた際にパウチ収納部２１に設けた注出部押圧手段２８と対応する位置に、該注出部押圧手段２８と共働してパウチの注出部を押圧することにより、パウチ１の注出口４を開放して内容物を注出する円柱状の注出手段３３が、板バネ、弾性プラスチック等の弾性を有する押圧板３４により固定されている。
【００１６】
注出部押圧手段２８の注出手段３３が接触する表面は、平面である必要はなく、適度な曲面である方が内容物の注出量を安定させることができる。特に、円弧の半径が７０〜１００mmの範囲の凸状の表面とすることが適当である。
【００１７】
つぎに、このパウチホルダ２０を使用して自己閉鎖性注出口を有するパウチから内容物を一定量ずつ注出する手順について説明する。
はじめに、パウチ１の注出口４を下向きにしてパウチ１の周縁シール部に設けた孔（図示せず）にパウチ収納部２１の支持板２２の上部に設けた２本のピンＰ、Ｐを挿通し、支持板２２と押圧ロール２５の間にパウチを吊下げ保持する。つぎに、図５にみられるようにカバー部３１を回動させて、パウチ収納部２１を覆い、パウチ収納部２１の下端部を構成する側板２３’に設けた開口２９からパウチ１の注出口４を露出させる。
【００１８】
この注出口４の先端部を開封した後に、カバー部３１に設けた押圧板３４を指で押圧すると、押圧板３４に設けた円柱状の注出手段３３と、パウチ収納部に設けた注出部押圧手段２８の共働作用により、パウチ１の注出口４上部の注出部が前面及び背面から押圧され、図３にみられるように、注出口４が開放されて一定量の内容物が注出される。
そして、パウチ本体が、カバー部３１に設けた押圧ロール２５で押圧されるため、パウチ内の内容物量の減少に伴う注出口４からの内容物の注出量変化が防止され、内容物が減少しても注出口４からの一定量の注出が可能となる。
【００１９】
また、パウチ内の内容物量の減少にともなって、パウチ１内の上部にはヘッドスペースが発生しパウチが変形しようとするが、このヘッドスペースの発生は、押圧ロール２５の両端に設けたハンドル２６、２６を指で押下げることによって防止することができる。或いは、押圧ロール２５を重量のある金属等により構成し、その自重により内容物の注出にともなって下方に移動するようにすることもできる。
【００２０】
図６は、本発明のパウチホルダの他の例を示す図であり、図６の（Ａ）はパウチホルダの正面図、そして（Ｂ）はその右側図面である。
このパウチホルダ３０では、図４〜図５のパウチホルダ２０において、ホルダにカバー部３１を設けずに、ホルダ３０をパウチ収納部２１だけで構成したものである。このパウチホルダ３０の他の構成は、図４〜図５のパウチホルダ３０と同様である。
このパウチホルダ３０を使用してパウチから内容物を注出するには、図４〜図５のパウチホルダ２０と同様にしてホルダ内にパウチ１を収納し、注出口４の先端部を開封した後に、指でパウチの注出口４の上部（注出部押圧手段２８と対向する部分）を押圧することによって、注出口４が開放されて一定量の内容物が注出される。
このパウチホルダ３０では、パウチ収納部２１の下端部にパウチの注出口４を露出させる開口２９を有する側板２３’を設けることにより、パウチホルダ３０を上面が開放された箱状体として構成したが、パウチ収納部２１の下端部に側板２３’を設けず、パウチホルダを上面及び下辺が開放された箱状体とすることもできる。
【００２１】
図７は、本発明のパウチホルダの他の例を示す図であり、図７の（Ａ）はパウチホルダのカバー部を下方に開いた状態を示す正面図であり、（Ｂ）はホルダの右側面図である。
このパウチホルダ４０は、図４〜図５のパウチホルダ２０において、パウチ収納部２１の両側板２３、２３に設けるガイド部２７、２７の形状を、中央部では支持板２２と略平行に、上端部及び下端部では支持板２２から遠ざかるように構成している。また、押圧ロールの中央部２５−１の径（ｂ）と、その両端部２５−２の径（ａ）が、ａ＜ｂとなるように構成してある。そして、パウチ収納部２１の支持板２２の下方の両端部には、パウチ本体の下方側部を押圧する一対の板状体からなる側部押圧手段３５、３５が設けられ、カバー部３１にはこの側部押圧手段３５、３５に対向する位置に、該側部押圧手段３５、３５と共働してパウチ本体の下方側部を押圧する矩形状の側部押圧手段３５’、３５’が設けられている。このパウチホルダ４０の他の構成は、図４〜図５のパウチホルダ２０と同様である。
【００２２】
このパウチホルダ４０では、パウチ収納部２１に設けた一対の側部押圧手段３５、３５、及びカバー部３１に設けた側部押圧手段３５’、３５’によって、パウチ１の収納室２と定量室３の境界部、或いはその近傍の側方シール部を適度に押圧し、定量室３の周辺のパウチを構成するフィルムの張力を適度に保つことができる。このため、パウチの内容物の減少にともなうパウチを構成するフイルムの張力の低下に起因するパウチの変形による定量室３の膨らみの低下を防止することができる。したがって、内容物が減少した場合にも、内容物がスムーズに定量室内に流入するのを可能とする。
また、押圧ロール２５でパウチ本体を押圧し、定量室３の膨らみを保つことで、注出量を安定させているが、パウチ内の内容物量が半分以下になると、パウチ下方部に設けた定量室３が前方に反り上がり、その結果、内容物の注出時の押圧位置が変化する。これに対し、上記したパウチ収納部２１に設けた一対の側部押圧手段３５、３５、及びカバー部３１に設けた側部押圧手段３５’、３５’の共働作用によって、上記反り上がりが防止される。
この例では、側部押圧手段をパウチ収納部及びカバー部の双方に設けたが、側部押圧手段をパウチ収納部或いはカバー部の一方のみに設けるようにしてもよい。また、その位置は、パウチ１の収納室２と定量室３の境界部、或いはその近傍の側方シール部に対応するように設けたが側方シール部の近傍でもよく、その形状は板状、矩形状等任意であり、そのサイズも適宜選択することができる。
【００２３】
上記図４〜図５及び図７のパウチホルダでは、カバー部３１をパウチ収納部２１の下端部に縦方向に回動可能に連結したが、カバー部３１をパウチ収納部２１の上端部に縦方向に回動可能に連結したり、カバー部３１をパウチ収納部２１の左右いずれかの側端部に横方向に回動可能に連結することもできる。また、パウチ収納部２１及びカバー部３１を別体に構成し、着脱自在に嵌合させるようにしてもよい。
カバー部３１をパウチ収納部２１に回動可能に連結するには、ピンによる軸支、蝶番、或いはプラスチック部材等を薄肉化したヒンジ等、通常の軸支手段を採用することができる。
【００２４】
本発明のパウチホルダのパウチ収納部、カバー部、或いは押圧ロール等の部材を構成する材料としては特に制限はなく、プラスチック、金属、或いはこれらの複合材料等、パウチホルダとして必要な強度、剛性、耐久性等を備えた材料であれば、いずれも使用することができる。好ましい材料としては、ポリエチレン、ポリプロピレン等のポリオレフィン系樹脂、アクリル系樹脂、ポリアミド系樹脂、ポリエチレンテレフタレート等のポリエステル系樹脂、ポリカーボネート系樹脂等の、通常容器類に使用される熱可塑性プラスチック類が挙げられる。本発明のパウチホルダの少なくともカバー部を、アクリル系樹脂、ポリオレフィン系樹脂、ポリカーボネート系樹脂等の透明性を有するプラスチック材料により構成した場合には、パウチホルダ内に収納したプラスチックパウチの内容物の状態を、容易に確認することが可能となるので好ましい。
パウチ収納部、或いはカバー部等をプラスチック材料により構成する場合には、射出成形、押出し成形、真空圧空成形等、通常の成形方法により容易に目的とする成形物を製造することが可能となる。
【００２５】
本発明のパウチホルダのサイズや形状は、ホルダに収納するプラスチックパウチのサイズや形状に合わせて適宜選択することができる。パウチホルダに収納するプラスチックパウチのサイズは任意であるが、通常は内容量が１００〜１０００ｍL、好ましくは２００〜５００ｍL程度のものを使用する。
また、パウチ収納部２１に設ける注出部押圧手段２８、カバー部に設ける注出手段３３等の他の部材の材質、形状やサイズ等も適宜選択することができる。
【図面の簡単な説明】
【００２６】
【図１】自己閉鎖性注出口を有するパウチの１例を示す図である。
【図２】図１のパウチに内容物を充填し、注出口が閉じた状態を示す部分拡大模式図である。
【図３】図１のパウチに内容物を充填し、注出口が開いた状態を示す部分拡大模式図である。
【図４】本発明のパウチホルダの１例を示す図で、カバー部を下方に開いた状態を示す図である。
【図５】図４のパウチホルダにパウチを収納してホルダを閉じた状態を示す図である。
【図６】本発明のパウチホルダの他の例を示す図である。
【図７】本発明のパウチホルダの他の例を示すで、カバー部を下方に開いた状態を示す図である。
【符号の説明】
【００２７】
１                パウチ
２                液体収納室
３                定量室
４                注出口
５                弁
６，７            ヒートシール部
１０              未シール部
１１，１２        側壁部材
２０，３０，４０  パウチホルダ
２１              パウチ収納部
２２              支持板
２３，２３’      側板
２５              押圧ロール  
２６              ハンドル
２７              ガイド部
２８              注出部押圧手段
２９              開口
３１              カバー部
３２              板状体
３３              注出手段                            
３４              押圧板
３５，３５’      側部押圧手段
Ｐ                ピン
【図１】
2007168818.tif 000003
【図２】
2007168818.tif 000004
【図３】
2007168818.tif 000005
【図４】
2007168818.tif 000006
【図５】
2007168818.tif 000007
【図６】
2007168818.tif 000008
【図７】
2007168818.tif 000009